(57)【要約】【課題】障子の戸先側のたれ下がりを抑制するとともに、地震時におけるガラスの破損を防止する。【解決手段】ガラス３をセッティングブロック２ａ、２ｂ、２ｃで支持してなるアルミサッシ式開き戸の障子において、上框１１の戸先框１４寄り部分にガラス３に対して窓枠１を持ち上げる持ち上げ装置５を設け、この持ち上げ装置５を上端につまみ５２ａ  を有するねじ機構５２と、その下端に結合された持ち上げ用ブロック５１で構成する。【選択図】        図１
2004218202.tif 000002
【特許請求の範囲】
【請求項１】
上框（１１）、下框（１２）、吊り元框（１３）、戸先框（１４）よりなる四辺形状の窓枠（１）に、セッティングブロック（２ａ、２ｂ，２ｃ）を介してガラス（３）を支持してなるアルミサッシ式開き戸の障子において、前記上框（１１）の戸先框（１４）寄り部分に、前記ガラス（３）に対して窓枠（１）を持ち上げる持ち上げ装置（５）を設けたことを特徴とするアルミサッシ式開き戸のたれ下がり防止構造。
【請求項２】
前記持ち上げ装置（５）が、上端につまみ（５２ａ  ）を有するねじ機構（５２）と、その下端に結合された持ち上げ用ブロック（５１）である請求項１に記載のアルミサッシ式開き戸のたれ下がり防止構造。
【発明の詳細な説明】
【０００１】
【発明の属する技術分野】
本発明は、ビルの窓等のアルミサッシ式開き戸において、障子の開閉軸側（以下「吊り元側」という）に対してその反対側（以下「戸先側」という）が自重によってたれ下がろうとするのを防止するたれ下がり防止構造に関する。
【０００２】
【従来の技術】
アルミサッシ式のビルに設けられる窓は設計の近代化に伴い大型化の一途をたどっており、例えば幅２８００ｍｍ、高さ６５００ｍｍという大寸法のものも出現している。こうなるとガラスの重量も相当なものとなり、一部の窓を開き戸とする場合においては、回転軸付近の摩耗や隙間、サッシ枠部分の隙間や変形等いろいろな要因により、ガラスおよび窓枠の重量によって障子の戸先側がたれ下がる傾向が生じ、たれ下がりが発生するとその障子を閉じようとする際に収まりにくいことから、さまざまな対策が講じられている。
【０００３】
図４は特許文献１に記載されている障子を示す正面図、図５は同じく特許文献１に記載されているこの障子のガラスの支持構造を示す説明図で、１は窓枠、１１は障子の上框、１２は下框、１３はピボットあるいは蝶番の設けられる開閉軸側の吊り元框、１４は戸先框、３はガラス、２ａ、２ｂ、２ｃは窓枠１とガラス３との間に配置されるセッティングブロックである。すなわち、特許文献１記載の発明においては、窓枠１に対して、吊り元側でガラス３の下端を支えるセッティングブロック２ａを下框１２に固定し、吊り元框１３の下部にはセッティングブロック２ｂを、また戸先框１４の上端部にはセッティングブロック２ｃを固定し、ガラス３を３点支持している。ガラス３両側面のセッティングブロック２ｂ、２ｃの水平間隔Ｗはガラス３の幅寸法より僅かに小さい。
【０００４】
ガラス３の重量はセッティングブロック２ａで支持するが、セッティングブロック２ａをガラス３の重心下でなく吊り元框１３に接近させた位置としているため、ガラス３には自重による回転モーメントが作用する。この回転モーメントを、両側面に対角線上に配置したセッティングブロック２ｂ、２ｃで受けるわけである。すなわち、ガラス３の重量による荷重２Ｐに基づく回転モーメントＭは、吊り元框１３からセッティングブロック２ａの中心位置までの距離をＬとすれば、図５において時計方向にＭ＝２Ｐ×Ｌである。ところで、この特許文献１記載の障子においては、セッティングブロック２ａを吊り元框１３に極めて接近させた位置としているため、Ｌの値が小さく、したがってモーメントＭも非常に小さいので窓枠１を変形させることがないとしている。
【０００５】
しかしモーメントＭが従来のものよりも小さいとはいえ０ではないので、特許文献１記載の発明によっても、戸先側がたれ下がろうとする傾向が完全に解消するわけではない。
むしろ従来一般には、戸先側が多少とも下がろうとする傾向はやむをえないものとし、これに対処する構造がさまざま提案されている。一例として、特許文献２に記載されている開閉戸の支持装置を説明する。図６はその要部を示す部分断面図である。４は下框１２に埋設された支持装置で、本体４１から高さ調節機構４２を介して下向きに取り付けられた支持ローラ４３が閉戸時に敷居、あるいは下枠６２に載ることにより障子の荷重を下枠６２で支持しようとするものである。たれ下がりの程度により、高さ調節機構４２によって、障子のたれ下がりに対する持ち上げ代を任意に調節できる。
【０００６】
また、図７に示すのは非特許文献１に記載された支持装置で、この場合は支持ローラ４３はサッシ窓の下枠６２側に設置され、障子下框１２の対応位置には、これに載るシュー４４が取り付けられている。なお、こうした機構はこの非特許文献１に限らず、随所に見ることができるものである。
これら図６、図７のいずれの場合も、障子の自重を支持ローラ４３を介して下枠で支持し、閉戸状態における障子の戸先側のたれ下がりをなくすことを目的としており、開閉の際の障子の動きを滑らかにするため、自由に回転するローラで支持するようにしている。
【０００７】
ところで、このように障子の戸先側を機械的に支持していると、地震の発生により建物が水平荷重を受けた場合に問題があることがわかり、新たな課題が生じている。図８によりその状況を説明する。窓が閉じている場合において、地震力により上枠６１と下枠６２との間で矢印に示すような層間変位が生じたとすると、障子の窓枠１が取り付けられている縦枠６３が傾斜することにより障子の窓枠１も戸先側が大きくたれ下がろうとする。しかし図のように下框１２の先端付近に支持装置４があると、たれ下がることができず、窓枠１が平行四辺形状に変形し、ガラス３の破損を引き起こすことになる。
【０００８】
【特許文献１】
特開２００１─１０７６５０号公報
【特許文献２】
特開平５─２３１０６２号公報
【非特許文献１】
マルト金物工業（株）発行カタログの抜粋
【０００９】
【発明が解決しようとする課題】
本発明は、下框の先端付近と下枠との間に隙間を残したままで障子のたれ下がりを防止し、地震時においてもガラス破損を起こすおそれのないアルミサッシ式開き戸のたれ下がり防止構造を実現することを目的とする。
【００１０】
【課題を解決するための手段】
本発明は、上框、下框、吊り元框、戸先框よりなる四辺形状の窓枠に、セッティングブロックを介してガラスを支持してなるアルミサッシ式開き戸の障子において、前記上框の戸先框寄り部分に、前記ガラスに対して窓枠を持ち上げる持ち上げ装置を設けたことを特徴とするアルミサッシ式開き戸のたれ下がり防止構造であり、望ましくは前記持ち上げ装置が、上端につまみを有するねじ機構と、その下端に結合された持ち上げ用ブロックである前記のアルミサッシ式開き戸のたれ下がり防止構造である。
【００１１】
【発明の実施の形態】
本発明によれば、ガラスを反力の作用点として上框の戸先框寄り部分で窓枠を持ち上げることにより、下框の先端付近と下枠との間に隙間を残したままで障子のたれ下がりを防止し、障子下部の支持装置をなくして地震の際のガラス破損を防止することができた。
【００１２】
【実施例】
本発明の実施例を図面により説明する。図１は実施例の開き戸における障子を示す正面図である。窓枠１に対して、下部吊り元框１３寄りに１個、左右に２個、計３個のセッティングブロック２ａ、２ｂ、２ｃによって３点支持しているのは、図４、図５で説明した従来のものと同様である。矢印ａはガラス３の自重による回転モーメントを示す。５は本発明の特徴部分である持ち上げ装置で、引き続き図２、図３により詳しく説明する。
【００１３】
図２は図１のＡ部分を拡大し、一部断面にして示す部分正面図、図３は同じ部分を左方向から見た垂直断面図で、これまでに説明した符号の他、５１は障子の上框５１の戸先寄り部分に取付られたねじ機構、５２はその下端に結合された持ち上げ用ブロック、５２ａ  はその上端に設けられたつまみである。図２、図３において、上端のつまみ５２ａ  を回転させて持ち上げ用ブロック５２をガラス３に向けて押しつけて行くと、ガラス３はセッティングブロックによって３点支持されているので、これが押し下げられる代わりに、ガラスを反力点として自重の軽い窓枠１が持ち上げられることになる。図１から明らかなように下部のガラス重量を支持するセッティングブロック２ａは吊り元框１３に寄った位置にあるので、戸先側である持ち上げ装置５の真下部分にはセッティングブロックはなく、下框１２とガラス３（の下辺）との間には十分な隙間があり、この隙間の範囲内で窓枠１の持ち上げが可能である。しかもこの隙間が存在していることにより、地震時の層間変動においてもガラス破損を生じることがないのである。
【００１４】
ねじ機構５１としては例えば頭につまみ５２ａ  のついたボルトと取り付け板に溶接した６角ナットの組み合わせ、持ち上げ用ブロック５２としては、押しつけ力を伝達し、かつガラスやアルミ枠を損傷することのない硬質ゴム、合成樹脂等が適当である。
ねじ機構５２は閉戸状態では外から見えないが、障子を開くことによりつまみ５２ａ  が露出するので持ち上げ代を任意に微調整できる。
【００１５】
また、下枠に部品を取り付けることがないので、見た目もよく、清掃も容易である。
【００１６】
【発明の効果】
本発明によれば、障子のたれ下がりを防止して開閉をなめらかに行えるようにするとともに、地震の際のガラス破損を防止することができるという、すぐれた効果を奏する。
【図面の簡単な説明】
【図１】本発明の実施例を示す開き戸の正面図である。
【図２】図１のＡ部分を拡大し、一部断面にして示す部分正面図である。
【図３】図２と同じ部分を示す部分垂直断面図である。
【図４】従来の技術の一例を示す開き戸の正面図である。
【図５】図４におけるガラスの支持構造を示す説明図である。
【図６】従来の他の技術における要部を示す部分断面図である。
【図７】さらに従来の他の技術を示す部分断面図である。
【図８】従来の技術における問題点を示す開き戸の正面図である。
【符号の説明】
１    窓枠
２ａ、２ｂ、２ｃ    セッティングブロック
３    ガラス
４    支持装置
５    持ち上げ装置
１１      上框
１２    下框
１３    吊り元框
１４    戸先框
４１    （支持装置の）本体
４２    高さ調節機構
４３    支持ローラ
４４    シュー
５１    持ち上げ用ブロック
５２    ねじ機構
５２ａ    つまみ
６１    上枠
６２    下枠
６３    縦枠
【図１】
2004218202.tif 000003
【図２】
2004218202.tif 000004
【図３】
2004218202.tif 000005
【図４】
2004218202.tif 000006
【図５】
2004218202.tif 000007
【図６】
2004218202.tif 000008
【図７】
2004218202.tif 000009
【図８】
2004218202.tif 000010